(57)【要約】【課題】皮革グリップの高級感や、ゴムグリップでは味わえない手に触れたときの感触の良さ等の皮革グリップ特有の使用感を有しながら、滑りにくい特徴を兼ね備えたゴルフクラブグリップを提供する。【解決手段】ゴルフまたはパークゴルフ用のクラブシャフトに装着されるゴルフクラブグリップ１において、シャフトの外周に装着されるゴムまたはエラストマー樹脂よりなるゴム状筒２と、ゴム状筒２の外周に配置される皮革体６とを有する。ゴム状筒２は、その外周面に螺旋状の突条３を有して突条３間に螺旋状の装着溝４を有し、装着溝４内に帯状の皮革体６が螺旋に沿って巻き付けられている。突条３の外周表面は、装着溝４に巻き付けられた皮革体６の外周表面よりも外側に突出していて、該突出部により螺旋状の滑り止め突起５が形成されている。【選択図】図２
2006223632.tif 000002
【特許請求の範囲】
【請求項１】
ゴルフまたはパークゴルフ用のクラブシャフト（１０）に装着されるゴルフクラブグリップ（１）において、
前記クラブシャフト（１０）の外周に装着されるゴムまたはエラストマー樹脂よりなるゴム状筒（２）と、前記ゴム状筒（２）の外周に配置される皮革体（６）とを有し、
前記ゴム状筒（２）は、その外周面に螺旋状の突条（３）を有して前記突条（３）間に螺旋状の装着溝（４）を有し、前記装着溝（４）内に帯状の皮革体（６）を螺旋に沿って巻き付けてなることを特徴とするゴルフクラブグリップ。
【請求項２】
請求項１のゴルフクラブグリップにおいて、
突条（３）の外周表面（３ｂ）は、装着溝（４）に巻き付けられた皮革体（６）の外周表面（６ｄ）よりも外側に突出していて、該突出部により螺旋状の滑り止め突起（５）が形成されていることを特徴とするゴルフクラブグリップ。
【発明の詳細な説明】
【技術分野】
【０００１】
本発明は、ゴルフクラブの構成要素であるゴルフクラブ用グリップに係り、ゴルフまたはパークゴルフ用のクラブシャフトに装着されるゴルフクラブグリップに関するものである。
【背景技術】
【０００２】
ゴルフクラブは、旧来はシャフトの外周に直接あるいはゴム状筒を装着して、その上から帯状の皮革体を巻き付けてグリップとして使用していた（特許文献１参照）。
【０００３】
しかしながら、カーフスキン等の皮革体には、
（１）材料が高価である、
（２）材料の入手が困難である、
（３）雨天時にグリップが滑り易い、
（４）グリップの製作に手間がかかる、
等の不都合があることから、近年ではゴムグリップが多用されているが、皮革グリップには独特の使用感があるので、一部の愛好家には依然として使用されている。
【０００４】
【特許文献１】特開２０００−１７６０６１号公報（図１）
【発明の開示】
【発明が解決しようとする課題】
【０００５】
本発明は以上の点に鑑みて、皮革グリップの高級感や、ゴムグリップでは味わえない手に触れたときの感触の良さ等の皮革グリップ特有の使用感を有しながら、滑りにくい特徴を兼ね備えたゴルフクラブグリップを提供することを目的とする。
【課題を解決するための手段】
【０００６】
上記目的を達成するため、本発明の請求項１によるゴルフクラブグリップは、ゴルフまたはパークゴルフ用のクラブシャフトに装着されるゴルフクラブグリップにおいて、前記シャフトの外周に装着されるゴムまたはエラストマー樹脂よりなるゴム状筒と、前記ゴム状筒の外周に配置される皮革体とを有し、前記ゴム状筒は、その外周面に螺旋状の突条を有して前記突条間に螺旋状の装着溝を有し、前記装着溝内に帯状の皮革体を螺旋に沿って巻き付けてなることを特徴とするものである。
【０００７】
また、本発明の請求項２によるゴルフクラブグリップは、上記した請求項１のゴルフクラブグリップにおいて、突条の外周表面は、装着溝に巻き付けられた皮革体の外周表面よりも外側に突出していて、該突出部により螺旋状の滑り止め突起が形成されていることを特徴とするものである。
【０００８】
上記構成を備えた本発明の請求項１のゴルフクラブグリップによると、ゴムまたはエラストマー樹脂よりなるゴム状筒の外周面に螺旋状の突条が設けられるとともに突条間に螺旋状の装着溝が設けられ、この装着溝内に帯状の皮革体が螺旋に沿って巻き付けられているために、グリップ製品としてはその外周面に、ゴムまたはエラストマー樹脂よりなる螺旋状の突条と、装着溝に沿って螺旋状に巻かれた帯状の皮革体とが双方併設されることになる。したがって、皮革体が皮革グリップ特有の使用感を醸し出し、螺旋状の突条が滑り止め効果を発揮する。
【０００９】
また、本発明において、ゴムまたはエラストマー樹脂よりなる螺旋状の突条はその外周表面が、装着溝に沿って螺旋状に巻かれた帯状の皮革体の外周表面と面一状に設定されても滑り止め効果を発揮するが、請求項２に記載したように、突条の外周表面を皮革体の外周表面よりも外側に突出させて該突出部により螺旋状の滑り止め突起を形成すると、突条による滑り止め効果を一層増大させることが可能となる。
【発明の効果】
【００１０】
本発明は、以下の効果を奏する。
【００１１】
すなわち、本発明の請求項１によるグリップにおいては、シャフトの外周に装着されるゴムまたはエラストマー樹脂よりなるゴム状筒と、ゴム状筒の外周に配置される皮革体とを有し、ゴム状筒は、その外周面に螺旋状の突条を有して突条間に螺旋状の装着溝を有し、装着溝内に帯状の皮革体が螺旋に沿って巻き付けられていることから、グリップ製品の外周面に、ゴムまたはエラストマー樹脂よりなる螺旋状の突条と、装着溝に沿って螺旋状に巻かれた帯状の皮革体とが双方併設されている。したがって、皮革体が皮革グリップ特有の使用感を発揮するとともに螺旋状の突条が滑り止め効果を発揮するために、所期の目的どおり、皮革グリップの高級感や、ゴムグリップでは味わえない手に触れたときの感触の良さ等の特徴を有しながら、滑りにくい特徴を兼ね備えたゴルフクラブグリップを提供することができる。
【００１２】
またこれに加えて、本発明の請求項２によるグリップにおいては、突条の外周表面が皮革体の外周表面よりも外側に突出していて、該突出部により螺旋状の滑り止め突起が形成されているために、突条による滑り止め効果を一層増大させることができる。
【発明を実施するための最良の形態】
【００１３】
つぎに本発明の実施例を図面にしたがって説明する。
【００１４】
図１は、本発明の実施例に係るゴルフクラブグリップ１の正面を示しており、その一部拡大図が図２に示されている、また、図３は、図２におけるＡ部断面図である。
【００１５】
当該実施例に係るゴルフクラブグリップ１は、パークゴルフ用クラブシャフト１０の上端把持部に装着されるものであって、以下のように構成されている。
【００１６】
すなわち、当該グリップ１は、シャフト１０の外周に装着されるゴムまたはエラストマー樹脂よりなるゴム状筒２と、このゴム状筒２の外周に配置された皮革体６とを有しており、ゴム状筒２の外周面に螺旋状の突条３が形成されるとともに突条３間に螺旋状の装着溝４が形成されており、この装着溝４内に螺旋に沿って帯状の皮革体６が巻き付けられている。
【００１７】
ゴム状筒２はその名のとおり、所定のゴムまたはエラストマー樹脂を材料として筒状に成形されており、その上端部にキャップ部７が一体成形されている。また、このゴム状筒２の筒部は、グリップ１の全長に亙ってシャフト１０の装着部外周面に密着するように成形されており、よってシャフト１０の径に先窄まり状のテーパーが設定されている場合には、これに合わせてゴム状筒２の筒部にもテーパーが設定されている。このゴム状筒２は、両面粘着テープまたは接着剤による接着等の固着手段によってシャフト１０の外周面に固着される。
【００１８】
ゴム状筒２の外周面に、螺旋状を呈する突条３が一本、グリップ１の全長に亙って一定のピッチで一体成形されており、この一本の突条３の間に位置して同じく螺旋状を呈する装着溝４が一本、グリップ１の全長に亙って一定のピッチで形成されている。
【００１９】
図３の断面図に示すように、突条３は断面四角形状に形成され、この断面形状を維持したまま螺旋の全長に亙って形成されている。但し、図４の一部斜視図に示す上端の螺旋始端部３ａと、図示しない下端の螺旋終端部はそれぞれ、最先端部へ向けて先細となる形状とされている。突条３の幅ｗ１は、例えば３．０ｍｍとされている。
【００２０】
装着溝４は、突条３と比較して幅広の断面四角形状に形成され、やはりこの断面形状を維持したまま螺旋の全長に亙って形成されている。したがって装着溝４の幅ｗ２は一定とされている。但し、図４の一部斜視図に示す上端の螺旋始端部４ａと、図示しない下端の螺旋終端部はそれぞれ、最先端部へ向けて先細となる形状（溝幅ｗ２が狭くなる形状）とされている。装着溝４の幅ｗ２は、例えば１８．０ｍｍとされている。
【００２１】
ゴム状筒２に巻き付けられる皮革体６は、一本の平面状帯状体よりなり、ちょうど装着溝４の凹部内に収められるように装着溝４の幅ｗ２と同じか略同じ幅寸法を有している。但し、図５の展開図に示す巻き始めの一端部６ａと、図示しない巻き終わりの他端部には、溝幅ｗ２が狭くなるのに合わせて、斜めに裁断した形状のカット部６ｂが設けられている。また、皮革体６の厚み寸法は、この皮革体６がその内周面６ｃをもって装着溝４の底面４ｂに密着したときに、突条３の外周表面３ｂの方がこの皮革体６の外周表面６ｄよりも外側（外周側）へ突出するように、突条３の高さよりも若干小さく設定されており（突条３の高さをｈ、皮革体６の厚みをｄとして、ｈ−ｄ＝ｔ，ｔ＞０）、例えば突条３の外周表面３ｂの方が皮革体６の外周表面６ｄよりも０．５ｍｍ（ｔ）ほど突出するように設定されている。したがって、突条３の外周表面３ｂは、皮革体６の外周表面６ｄよりも外側に突出し、この突出部により螺旋状を呈する滑り止め突起５が形成されている。皮革体６は、両面粘着テープまたは接着剤による接着等の固着手段によりゴム状筒２の外周面、装着溝４内に固着されている。
【００２２】
上記構成を有するゴルフクラブグリップ１においては、ゴムまたはエラストマー樹脂よりなるゴム状筒２の外周面に螺旋状の突条３が設けられるとともに突条３間に螺旋状の装着溝４が設けられ、この装着溝４内に螺旋に沿って帯状の皮革体６が巻き付けられているために、グリップ１の外周面に、ゴムまたはエラストマー樹脂よりなる螺旋状の突条３と、装着溝４に沿って螺旋状に巻かれた帯状の皮革体６とが双方並んで併設されている。したがって、皮革体６が皮革グリップ特有の使用感を発揮するとともに螺旋状の突条３がスイング時における滑り止め効果を発揮するために、所期の目的どおり、皮革グリップの高級感や、ゴムグリップでは味わうことができない手に触れたときの感触の良さ等の皮革グリップ特有の使用感を有しながら、滑りにくい特徴を兼ね備えたゴルフクラブグリップ１を提供することができる。
【００２３】
また、突条３の外周表面３ｂが皮革体６の外周表面６ｄよりも外側に突出していて、突条３の先端部に滑り止め突起５が形成されているために、突条３による滑り止め効果を増大させることができる。
【００２４】
また、上記グリップ１を製造するに際しては、一定の幅ｗ２を有する螺旋状の装着溝４に対して同じ幅を有する帯状の皮革体６を巻き付けてゆけば良く、このとき溝４の左右の突条３を位置決め用のガイドとして利用することができる。したがって、皮革体６の巻付け作業を正確にかつ容易に行なうことができるメリットがある。
【００２５】
尚、帯状の皮革体６の端部は、以下のようにして固定される。
【００２６】
すなわち、上端の一端部６ａについては、図６に示すように、巻き始め一周目部位６ｅの縁部６ｆの上に巻き始め二周目部位６ｇの幅方向反対側の縁部６ｈが重ね合わされることにより一端部６ａが押さえ付けられ、これにより一端部６ａがゴム状筒２から剥がれることなく固定される。また、図示しない下端の他端部については、図１に示すように、別体のキャップ体８が被せられることにより他端部が押さえ付けられ、これにより他端部がゴム状筒２から剥がれることなく固定される。
【００２７】
また、上記実施例に係るグリップ１は、本発明の目的を実現可能な範疇においてその構成を種々変更することが可能であり、その一例を示すと以下のとおりである。
（１）上記実施例では、突条３の断面形状が四角形とされていることから、これに伴って突条３の先端部に形成される滑り止め突起５も断面四角形とされているが、滑り止め突起５の断面形状は、三角形、台形または半円形等の他の形状であっても良い。
（２）装着溝４の内面に、接着剤貯留用の凹部を設けても良い。
（３）上記したように突条３の外周表面３ｂは皮革体６の外周表面６ｄと面一状に設定されても滑り止め効果を発揮する。
【図面の簡単な説明】
【００２８】
【図１】本発明の実施例に係るゴルフクラブグリップの正面図
【図２】同グリップの一部拡大正面図
【図３】図２におけるＡ部断面図であって、同グリップをその中心軸線を含む平面にて裁断した一部断面図
【図４】ゴム状筒の一部斜視図
【図５】皮革体の一部展開図
【図６】皮革体端部の固定方法を示す説明図
【符号の説明】
【００２９】
１  ゴルフクラブグリップ
２  ゴム状筒
３  突条
３ａ，４ａ  螺旋始端部
３ｂ，６ｄ  外周表面
４  装着溝
４ｂ  底面
５  滑り止め突起
６  皮革体
６ａ  一端部
６ｂ  カット部
６ｃ  内周面
６ｅ  一周目部位
６ｆ，６ｈ  縁部
６ｇ  二周目部位
７  キャップ部
８  キャップ体
１０  シャフト
【図１】
2006223632.tif 000003
【図２】
2006223632.tif 000004
【図３】
2006223632.tif 000005
【図４】
2006223632.tif 000006
【図５】
2006223632.tif 000007
【図６】
2006223632.tif 000008